(57)【特許請求の範囲】
【請求項１】
本体ケーシング内に設けられ、熱交換器を介して互いに交差して互いの空気温度等を交換する給気及び排気風路と、これら給気及び排気風路内に設けられ、該風路内空気の異物等を除去する給気及び排気フィルタと、を具備した熱交換気装置において、前記本体ケーシングの底面に設けられ、前記給気及び排気フィルタを取り出すフィルタ取出口と、このフィルタ取出口に脱着自在に取付けられ、前記給気及び排気フィルタをその互いの面がほぼ一列状になるよう支持する保持手段と、を備え、前記保持手段が、前記フィルタ取出口の本体ケーシング底面の一部になるように係止部の係合により係止され、前記フィルタ取出口から下方に引き出されることにより、前記係止部の係合が外れて前記給気及び排気フィルタが前記本体ケーシングの外に引き出されるように構成されたことを特徴とする熱交換気装置。
【発明の詳細な説明】
【０００１】
【発明の属する技術分野】
本発明は、室内空気と室外空気との互いの熱エネルギーを交換しながら吸・排気する熱交換気装置に関するものである。
【０００２】
【従来の技術】
図９、１０は、例えば特公平４−２２１９４号公告公報に記載された従来の熱交換気装置の構成図であり、この図において、１は本体ケーシング、１ａはこの本体ケーシング１の室外側壁面に設けられ、室外空気を吸い込む室外側吸込口、１ｂは本体ケーシング１の室外側壁面に設けられ、室内空気を吹出す室外側吹出口、２ａは本体ケーシング１の室内側壁面に設けられ、室外空気（外気）を吹出す室内側吹出口、２ｂは本体ケーシング１の室内側壁面に設けられ、室内空気を吸い込む室内側吸込口、Ａは室外側吸込口１ａと室内側吹出口２ａとを連通して室外空気を室内に給気する給気風路、Ｂは室外側吹出口１ｂと室内側吸込口２ｂとを連通して室内空気を室外に排気する排気風路であり、これらの風路Ａ，Ｂは熱交換器４を介して互いに交差し、該熱交換器４で互いの空気の保有熱を熱交換している。
【０００３】
また、５は給気風路内に設けられ、室外空気を室内に給気する給気送風機、６は排気風路内に設けられ、室内空気を室外に排気する排気送風機、７は給気風路内の熱交換器４に設けられ、異物等を除去する給気フィルター、８は排気風路内の熱交換器４に設けられ、異物等を除去する排気フィルター、９は本体ケーシング１の側面に設けられ、給・排気フィルター７，８を具備した熱交換器４を取り出す熱交取出口である。
【０００４】
次に、この動作について説明する。
まず、電源が入れられ、給気送風機５及び排気送風機６が駆動されると、給気送風機５の駆動によって室外側吸込口１ａから吸い込まれた室外空気が、給気フィルター７を具備した熱交換器４を介して室内空気と温・湿度の授受を行い、給気風路Ａを通り、室内側吹出口２ａから室内へ吹出される一方、排気送風機６の駆動によって室内側吸込口２ｂから吸い込まれた室内空気は、排気フィルター８を具備した熱交換器４を介して室外空気と温・湿度の授受を行い、排気風路Ｂを通り、室外側吹出口１ｂから室外へ吹出される。
【０００５】
次に、この運転状態が継続され、運転時間が所定時間を越えると、給・排気フィルター７、８を通過する室内空気や室外空気によってフィルターが目詰まりを起こし、空気の通りが悪くなり、熱交換器４の性能が低下するため、熱交取出口９から給・排気フィルター７、８を具備した熱交換器４を引き出し、熱交換器４から給・排気フィルター７、８を取り外して、給・排気フィルター７、８を清掃し、再び熱交換器４に装着して、熱交換器４と共に熱交取出口９から本体ケーシング１へ収納させて、再び熱交換気運転を繰り返す。
【０００６】
このように、フィルターを清掃する時、フィルターより大きく、かつ重い熱交換器４を引き出し、該熱交換器４からフィルター７，８を取り外した後に清掃するものであった。
【０００７】
また、その他の従来例としては、給気風路内にのみフィルターを設け、前ケ−シングを取り外した後、フィルター外をして清掃する特開平１０−１０３７３４号公報のものがある。
【０００８】
【発明が解決しようとする課題】
以上説明したように、従来の熱交換気装置では、フィルターを清掃する時、該フィルターより大きく、かつ重い熱交換器を引き出し、該熱交換器からフィルターを取り外した後に清掃するため、手間がかかり、煩わしいという問題があった。
【０００９】
この発明は係る問題点を解決するためになされたもので、フィルターを簡単に取り外せて清掃できる使い勝手の良い熱交換気装置を得ることを目的とする。
【００１０】
【課題を解決するための手段】
本発明の熱交換気装置は、本体ケーシング内に設けられ、熱交換器を介して互いに交差して互いの空気温度等を交換する給気及び排気風路と、これら給気及び排気風路内に設けられ、該風路内空気の異物等を除去する給気及び排気フィルタと、を具備した熱交換気装置において、前記本体ケーシングの底面に設けられ、前記給気及び排気フィルタを取り出すフィルタ取出口と、このフィルタ取出口に脱着自在に取付けられ、前記給気及び排気フィルタをその互いの面がほぼ一列状になるよう支持する保持手段と、を備え、前記保持手段が、前記フィルタ取出口の本体ケーシング底面の一部になるように係止部の係合により係止され、前記フィルタ取出口から下方に引き出されることにより、前記係止部の係合が外れて前記給気及び排気フィルタが前記本体ケーシングの外に引き出されるように構成されたものである。
【００１３】
【発明の実施の形態】
実施の形態１．
図１は、この発明の実施の形態１における熱交換気装置の概略構成の斜視図であり、図２はこの発明の熱交換気装置の概略平面断面図であり、図３はこの発明の熱交換気装置の概略側面断面図である。
これらの図において、１は本体ケーシング、１ａはこの本体ケーシング１の室外側壁面（背面）に設けられ、室外空気を吸い込む室外側吸込口、１ｂは本体ケーシング１の室外側壁面（背面）に設けられ、室内空気を室外に吹出す室外側吹出口、２ａは本体ケーシング１の室内側壁面に設けられ、室外空気（外気）を室内に吹出す室内側吹出口、２ｂは本体ケーシング１の室内側壁面に設けられ、室内空気を吸い込む室内側吸込口、Ａは室外側吸込口１ａと室内側吹出口２ａとを連通して室外空気を室内に給気する給気風路、Ｂは室外側吹出口１ｂと室内側吸込口２ｂとを連通して室内空気を室外に排気する排気風路であり、これらの風路Ａ，Ｂは熱交換器４を介して互いに交差し、該熱交換器４で互いの空気の温・湿度を交換している。
【００１４】
また、５は給気風路内に設けられ、室外空気を室内に給気する給気送風機、６は排気風路内に設けられ、室内空気を室外に排気する排気送風機、７は給気送風機５と熱交換器４との間の給気風路低面を貫通して設けられ、該給気風路内の異物等を除去する給気フィルター、８は排気送風機６と熱交換器４と間の排気風路低面を貫通して設けられ、該排気風路内の異物等を除去する排気フィルター、１０は本体ケーシング１の底面部に設けられ、給気フィルター７及び排気フィルター８を取り出す排気側及び給気側フィルタ取出口、１１はこのフィルタ取出口１０に脱着自在に取り付けられ、給気フィルター７及び排気フィルター８を保持する保持手段であるケーシング塞ぎ板である。
【００１５】
また、１１ａは給気風路Ａの底面に設けられ、給気フィルター７を挿入する給気側挿入口、１１ｂは排気風路Ｂの底面に設けられ、排気フィルター８を挿入する排気側挿入口である。なお、本体ケーシング１の底面部が給気風路Ａ及び排気風路Ｂの底面を兼ねる時は、フィルタ取出口１０が給気側及び排気側挿入口１１ａ，１１ｂを兼ねることになる。
【００１６】
次に、この動作について説明する。
まず、電源が入れられ、給気送風機５及び排気送風機６が駆動されると、給気送風機５の駆動によって室外側吸込口１ａから吸い込まれた室外空気が、給気フィルター７を介して熱交換器４で室内空気と温・湿度の授受を行い、給気風路Ａを通り、室内側吹出口２ａから室内へ吹出される一方、排気送風機６の駆動によって室内側吸込口２ｂから吸い込まれた室内空気は、排気フィルター８を介して熱交換器４で室外空気と温・湿度の授受を行い、排気風路Ｂを通り、室外側吹出口１ｂから室外へ吹出される。
【００１７】
次に、この運転状態が継続され、運転時間が所定時間を越えると、給・排気フィルター７、８を通過する室内空気や室外空気によってフィルターが目詰まりを起こし、空気の通りが悪くなり、熱交換器４の性能が低下するため、フィルタ取出口１０からケーシング塞ぎ板１１をそのつまみ部１３を介して本体ケーシング１の底部から、図４に示すように、下方の引力により塞ぎ板１１の係止部１１ａと本体ケーシング底面の係止部（図示せず）との係合力を解除し、下方に引き出すと、このケーシング塞ぎ板１１に保持されている給・排気フィルター７、８も本体ケーシング１の外に引き出される。
【００１８】
次に、この引き出された給・排気フィルター７、８を清掃し、清掃後再び給・排気フィルター７、８を具備したケーシング塞ぎ板１１をフィルタ取出口１０に挿入して、押上力により塞ぎ板１１の係止部１１ａと本体ケーシング底面の係止部（図示せず）とを係合させ、このフィルタ取出口１０をケーシング塞ぎ板１１で塞ぐようにすると、一列状に配置された給・排気フィルター７、８は熱交換器４の空気流の上流側にセットされ、再び熱交換気運転が繰り返される。
【００１９】
また、図３、４に示すように、本体ケーシング１の底面が給気風路Ａ及び排気風路Ｂの底面を兼ねていない時は、フィルタ取出口１０から挿入された給・排気フィルター７、８は各給・排気風路底面部の給気側及び排気側挿入口１１ａ，１１ｂを通って、塞ぎ板１１の係止部としての爪部１１ａが本体ケーシング１と各給・排気風路底面との間に設けられた突起部１４に係合し、熱交換器４の前、即ち、熱交換器４の上流側にセットされる。
【００２１】
以上説明したように、給気及び排気フィルタを取り出すフィルタ取出口を本体ケーシングの底面に設け、このフィルタ取出口に脱着自在に取付けられて前記給気及び排気フィルタを支持する保持手段と、を備え、前記保持手段が、前記フィルタ取出口の本体ケーシング底面の一部になると共に、前記フィルタ取出口から下方に引き出されることにより、前記給気又は排気フィルタが本体ケーシングの外に引き出されるように構成されたので、意匠性が良く、特に高い所に設置されても、フィルタを簡単に清掃できる使い勝手の良い熱交換気装置が得られる。
【００２２】
また、給気及び排気フィルタが、その互いのフィルタが一列状になるように給気及び排気風路内のそれぞれに設けられて保持手段に支持され、該保持手段が前記フィルタ取出口から引き出されることにより、前記給気及び排気フィルタが本体ケーシングの外に引き出されるように構成されたので、簡単な構成で給気及び排気フィルタが同時に本体ケーシングの外に引き出されるため、少ない構成部品で、複数のフィルタを簡単に清掃できる経済的で、使い勝手の良い熱交換気装置が得られる。
【００２３】
実施の形態２．
この実施の形態２においては、実施の形態１の給気フィルタ７を、空気中の各種異物を捕獲する捕獲フィルター７ａと、自動車等が排出する酸化窒素ガスを吸収する窒素吸収フィルタ７ｂとで構成したものである。
なお、その他の構成は実施の形態１とほぼ同じである。
【００２４】
次に、この動作について説明するが、給気フィルタ７の動作以外は実施の形態１の動作とほぼ同じなので、ここでは、捕獲フィルター７ａと窒素吸収フィルター７ｂとから給気フィルタ７の動作のみついて説明する。
まず、給気風路内に導かれ、自動車等が排出した酸化窒素ガス（窒素酸化物）や各種異物（チリ、ゴミ等）を保有した外気（室外空気）が給気フィルタ７を通過すると、捕獲フィルター７ａによって各種異物が捕獲され、また、窒素吸収フィルター７ｂによって酸化窒素ガスを吸収し、きれいな空気にして室内側吹出口２ａから室内へ給気するようになる。
【００２５】
以上説明したように、給気フィルタ７を捕獲フィルター７ａと窒素吸収フィルター７ｂとで構成すると、給気風路内空気の窒素酸化物や各種異物等を除去してから室内へ給気するようになるため、常に新鮮な空気を供給する熱交換気装置が得られる。
【００２６】
【発明の効果】
本願発明によれば、意匠性が良く、特に高い所に設置されても、複数のフィルタを簡単に清掃できる経済的で、使い勝手の良い熱交換気装置が得られる。
【図面の簡単な説明】
【図１】  この発明の実施の形態１における熱交換気装置の斜視図である。
【図２】  この発明の実施の形態１における熱交換気装置の平面断面図である。
【図３】  この発明の実施の形態１における熱交換気装置の側面断面図である。
【図４】  この発明の実施の形態１における熱交換気装置のフィルター挿脱図である。
【図５】  この発明の実施の形態２における熱交換気装置の給気フィルターの詳細図である。
【図６】  従来の熱交換気装置の概略構成図である。
【図７】  従来の熱交換気装置の構成斜視図である。
【符号の説明】
１  本体ケーシング、  １ａ  室外側吸込口、  １ｂ室外側吹出口、  ２ａ  室内側吹出口、  ２ｂ  室内側吸込口、  ３  固定風路、  ３ａ  固定給気風路部、  ３ｂ  固定排気風路部、  ４  熱交換器、  ５  給気送風機、  ６  排気送風機、７  給気フィルター、  ７ａ  捕獲フィルター、  ７ｂ  窒素吸収フィルター、８  排気フィルター、    １０  フィルタ取出口、  １１  ケーシング塞ぎ板、１１ａ  給気側及挿入口、  １１ｂ  排気側挿入口、  １３  つまみ部、  １４  突起部。
【図１】
0003736273.tif 000002
【図２】
0003736273.tif 000003
【図３】
0003736273.tif 000004
【図４】
0003736273.tif 000005
【図５】
0003736273.tif 000006
【図６】
0003736273.tif 000007
【図７】
0003736273.tif 000008